(57)【要約】【課題】商品情報掲載誌の情報ページに複数の商品のそれぞれの内容情報が掲載され、所望の内容情報を見つけるのが面倒であった。【解決手段】ツアー掲載誌１０において、複数の旅行ツアーに対応させてそれぞれ区分けされた複数の内容情報が掲載されている情報ページ１２に、内容情報に対応して、その区分け位置１９を示す区分番号１９ａを表示し、目次ページ１１に、ツアータイトル１５に対応して、内容情報の掲載されている情報ページ１２のページ番号１８と該内容情報に対応する区分番号１９ａとからなる位置番号１７を表示させる。【選択図】        図１
2004220076.tif 000002
【特許請求の範囲】
【請求項１】
多数の商品の少なくとも各商品名が表示されている目次ページと、ページ番号が付与されて、複数の前記商品名にそれぞれ対応させて区分けされた複数の内容情報が掲載されている情報ページとを備える商品情報掲載誌であって、
前記情報ページに、前記内容情報に対応して、少なくともその区分け位置を示す区分番号が表示され、
前記目次ページに、前記商品名に対応して、前記内容情報の掲載されている前記情報ページの前記ページ番号と該内容情報に対応する前記区分番号とからなる位置番号が表示されている
ことを特徴とする商品情報掲載誌。
【請求項２】
前記商品名は、前記商品の品名及び前記商品のタイトルのいずれかであることを特徴とする請求項１に記載された商品情報掲載誌。
【請求項３】
請求項１の商品情報掲載誌に掲載された前記商品に対応する前記位置番号に基づいて、該商品に関連する関連情報を顧客に提供するための商品情報提供方法であって、
前記関連情報を前記位置番号に対応させて記憶するための商品データベースをサーバに設けること、
通信回線を介して前記サーバに接続されている顧客端末から、位置番号データを前記サーバに送信すること、
前記サーバにより、前記位置番号データに基づいて、前記商品データベースから関連情報データを検索すること、
前記サーバにより、検索された前記関連情報データを、通信回線を介して前記顧客端末に送信すること
を特徴とする商品情報提供方法。
【請求項４】
請求項１に記載され且つ情報提供の有効期間に対応する号数の商品情報掲載誌に掲載された前記商品の前記位置番号に基づいて、該商品に関連する関連情報を顧客に提供するための商品情報提供方法であって、
前記関連情報を前記号数と前記位置番号とに対応させて記憶する商品データベースをサーバに設けること、
通信回線を介して前記サーバに接続されている顧客端末から、号数データ及び位置番号データを前記サーバに送信すること、
前記サーバが、前記号数データが有効期間内と判定すると、該号数データ及び前記位置番号データに基づいて、前記商品データベースから関連情報データを検索すること、
前記サーバにより、検索された前記関連情報データを、通信回線を介して前記顧客端末に送信すること
を特徴とする商品情報提供方法。
【請求項５】
前記関連情報データは、前記商品の内容を示す内容データと、前記商品の条件を示す条件データとを含み、
前記商品データベースは、前記内容データを前記号数データ及び前記位置番号データに対応させて記憶するための内容データベースと、前記条件データを、前記号数データ及び前記位置番号データに対応させて記憶するための条件データベースとを備えることを特徴とする請求項４に記載された商品情報提供方法。
【請求項６】
前記関連情報データが前記顧客端末で表示されることを特徴とする請求項４又は５に記載された商品情報提供方法。
【請求項７】
前記条件データを、同一条件を有する他の前記商品を検索するための検索条件データとして前記顧客端末に入力し、該顧客端末により、前記検索条件データを通信回線を介してサーバに送信すること、
前記サーバにより、前記条件データベースを検索して、受信した前記検索条件データを満たす前記他の商品の位置番号データを取り出し、
取り出された前記位置番号データに基づいて、前記内容データベースを検索して対応の内容データを取り出し、
取り出された前記位置番号データ及び前記内容データを前記顧客端末に送信すること
を特徴とする請求項５に記載された商品情報提供方法。
【請求項８】
前記条件データを変更して、他の前記商品を検索するための検索条件データとして前記顧客端末に入力し、該顧客端末により、前記検索条件データを通信回線を介してサーバに送信すること、
前記サーバにより、前記条件データベースを検索して、受信した前記検索条件データを満たす前記他の商品の位置番号データを取り出し、
取り出された前記位置番号データに基づいて、前記内容データベースを検索して対応の内容データを取り出し、
取り出された前記位置番号データ及び前記内容データを前記顧客端末に送信すること
を特徴とする請求項５に記載された商品情報提供方法。
【請求項９】
前記内容データベースは、各前記号数に対応するそれぞれの号対応内容データベースからなり、前記条件データベースは、各前記号数に対応するそれぞれの号対応条件データベースからなることを特徴とする請求項５に記載された商品情報提供方法。
【請求項１０】
前記号対応条件データベースに、商品の販売の可否を示すためのフラグ項目が設けられ、
前記サーバが、前記フラグ項目のフラグデータに基づいて対応する販売の可否情報を前記顧客端末に送信することを特徴とする請求項９に記載された商品情報提供方法。
【請求項１１】
前記販売の可否情報は、予約可能、売り切れ及び販売の中止のいずれかを示すことを特徴とする請求項１０に記載された商品情報提供方法。
【請求項１２】
前記号対応条件データベースに、商品のタイトルを商品名として示すタイトル項目が設けられ、
前記フラグ項目のフラグデータが前記売り切れ及び前記販売の中止のいずれかを示すと、前記サーバが前記タイトル項目内の対応するタイトルデータを読み出し、対応する可否情報と共に前記顧客端末に送信すること
を特徴とする請求項１１に記載された商品情報提供方法。
【請求項１３】
通信回線を介して相互に接続されている顧客端末及びサーバを備え、請求項１の商品情報掲載誌に掲載された前記商品に対応する前記位置番号に基づいて、該商品に関連する関連情報を顧客に提供するための商品情報提供システムであって、
前記顧客端末は、位置番号データを入力するための入力部と、
入力された前記位置番号データを前記サーバに送信するための端末通信部とを有し、
前記サーバは、関連情報データを前記位置番号データに対応させて記憶するための商品データベースと、
受信した前記位置番号データに基づいて、前記商品データベースを検索して関連情報データを取り出すための検索部と、
検索された前記関連情報データを前記顧客端末に送信するためのサーバ通信部とを有する
ことを特徴とする商品情報提供システム。
【請求項１４】
通信回線を介して相互に接続されている顧客端末及びサーバを備え、請求項１に記載され且つ情報提供の有効期間に対応する号数の商品情報掲載誌に掲載された前記商品の前記位置番号に基づいて、該商品に関連する関連情報を顧客に提供するための商品情報提供システムであって、
前記顧客端末は、号数データ及び位置番号データを入力するための入力部と、
入力された前記号数データ及び前記位置番号データを前記サーバに送信するための端末通信部とを有し、
前記サーバは、前記関連情報を前記号数及び前記位置番号に対応させて記憶するための商品データベースと、
受信した前記号数データ及び前記位置番号データに基づいて、前記商品データベースを検索して関連情報データを取り出すための検索部と、
検索された前記関連情報データを前記顧客端末に送信するためのサーバ通信部とを有する
ことを特徴とする商品情報提供システム。
【請求項１５】
前記関連情報データは、前記商品の内容を示す内容データと、前記商品の条件を示す条件データとを含み、
前記商品データベースは、前記内容データを前記号数データ及び前記位置番号データに対応させて記憶するための内容データベースと、前記条件データを、前記号数データ及び前記位置番号データに対応させて記憶するための条件データベースとを備えることを特徴とする請求項１４に記載された商品情報提供システム。
【請求項１６】
前記顧客端末は、前記関連情報データを表示するための表示部を更に有することを特徴とする請求項１４又は１５に記載された商品情報提供システム。
【請求項１７】
前記入力部は、前記条件データを、同一条件を有する他の前記商品を検索するための検索条件データとして入力し、
前記端末通信部は、入力された前記検索条件データを前記サーバに送信し、
前記検索部は、前記条件データベースを検索して、受信した前記検索条件データを満たす前記他の商品の位置番号データを取り出し、取り出した該位置番号データに基づいて、前記内容データベースを検索して対応の内容データを取り出し、
前記サーバ通信部は、取り出された前記位置番号データ及び前記内容データを前記顧客端末に送信すること
を特徴とする請求項１５に記載された商品情報提供システム。
【請求項１８】
前記入力部は、変更された前記条件データを他の前記商品を検索するための検索条件データとして入力し、
前記端末通信部は、入力された前記検索条件データを前記サーバに送信し、
前記検索部は、前記条件データベースを検索して、受信した前記検索条件データを満たす前記他の商品の位置番号データを取り出し、取り出した該位置番号データに基づいて、前記内容データベースを検索して対応の内容データを取り出し、
前記サーバ通信部は、取り出された前記位置番号データ及び前記内容データを前記顧客端末に送信すること
を特徴とする請求項１５に記載された商品情報提供システム。
【請求項１９】
前記内容データベースは、各前記号数に対応するそれぞれの号対応内容データベースからなり、前記条件データベースは、各前記号数に対応するそれぞれの号対応条件データベースからなることを特徴とする請求項１５に記載された商品情報提供システム。
【請求項２０】
前記号対応条件データベースに、商品の販売の可否を示すためのフラグ項目が設けられ、
前記サーバが、前記フラグ項目のフラグデータに基づいて対応する販売の可否情報を前記顧客端末に送信することを特徴とする請求項１９に記載された商品情報提供システム。
【請求項２１】
前記販売の可否情報は、予約可能、売り切れ及び販売の中止のいずれかを示すことを特徴とする請求項２０に記載された商品情報提供システム。
【請求項２２】
前記号対応条件データベースに、商品のタイトルを商品名として示すタイトル項目が設けられ、
前記フラグ項目のフラグデータが前記売り切れ及び前記販売の中止のいずれかを示すと、前記サーバが前記タイトル項目内の対応するタイトルデータを読み出し、対応する可否情報と共に前記顧客端末に送信すること
を特徴とする請求項２１に記載された商品情報提供システム。
【請求項２３】
請求項１の商品情報掲載誌に掲載された前記商品に対応する前記位置番号に基づいて、該商品に関連する関連情報を顧客に提供するために、
前記関連情報を前記位置番号に対応させて記憶するための商品データベースをサーバに設けた商品情報提供システムに利用され、
通信回線を介して前記サーバに接続されている顧客端末から、位置番号データを前記サーバに送信すること、
前記サーバにより、前記位置番号データに基づいて、前記商品データベースから関連情報データを検索すること、
前記サーバにより、検索された前記関連情報データを、通信回線を介して前記顧客端末に送信すること
を実行させるための商品情報提供プログラム。
【請求項２４】
請求項１に記載され且つ情報提供の有効期間に対応する号数の商品情報掲載誌に掲載された前記商品の前記位置番号に基づいて、該商品に関連する関連情報を顧客に提供するために、
前記関連情報を前記号数と前記位置番号とに対応させて記憶する商品データベースをサーバに設けた商品情報提供システムに利用され、
通信回線を介して前記サーバに接続されている顧客端末から、号数データ及び位置番号データを前記サーバに送信すること、
前記サーバにより、前記号数データが有効期間を示すと、該号数データ及び前記位置番号データに基づいて、前記商品データベースから関連情報データを検索すること、
前記サーバにより、検索された前記関連情報データを、通信回線を介して前記顧客端末に送信すること
を実行させるための商品情報提供プログラム。
【請求項２５】
請求項１の商品情報掲載誌に掲載された前記商品に対応する前記位置番号に基づいて、該商品に関連する関連情報を顧客に提供するために、
前記関連情報を前記位置番号に対応させて記憶するための商品データベースをサーバに設けた商品情報提供システムに利用され、
通信回線を介して前記サーバに接続されている顧客端末から、位置番号データを前記サーバに送信すること、
前記サーバにより、前記位置番号データに基づいて、前記商品データベースから関連情報データを検索すること、
前記サーバにより、検索された前記関連情報データを、通信回線を介して前記顧客端末に送信すること
を実行させるための商品情報提供プログラムを記録したコンピュータ読み取り可能な記録媒体。
【請求項２６】
請求項１に記載され且つ情報提供の有効期間に対応する号数の商品情報掲載誌に掲載された前記商品の前記位置番号に基づいて、該商品に関連する関連情報を顧客に提供するために、
前記関連情報を前記号数と前記位置番号とに対応させて記憶する商品データベースをサーバに設けた商品情報提供システムに利用され、
通信回線を介して前記サーバに接続されている顧客端末から、号数データ及び位置番号データを前記サーバに送信すること、
前記サーバにより、前記号数データが有効期間を示すと、該号数データ及び前記位置番号データに基づいて、前記商品データベースから関連情報データを検索すること、
前記サーバにより、検索された前記関連情報データを、通信回線を介して前記顧客端末に送信すること
を実行させるための商品情報提供プログラムを記録したコンピュータ読み取り可能な記録媒体。
【発明の詳細な説明】
【０００１】
【発明の属する技術分野】
本発明は、多数の商品の内容情報を掲載している商品情報掲載誌、及び該商品情報掲載誌に対応させて、通信回線を介して相互に接続されている顧客端末とサーバとの間で商品に関連する関連情報を顧客に提供するための商品情報提供方法及び提供システムに関する。
【０００２】
【従来の技術】
多数の商品の内容情報を商品の購入希望者に提供するために、商品情報掲載誌が出版されている。
この商品情報掲載誌は、従来、複数の商品に対応するそれぞれの内容情報が掲載されている情報ページを備える。各情報ページにおいて、掲載した各商品にはその識別のための識別番号が付与され、商品購入希望者はこの識別番号を利用して商品に関する問合せ、購入、そしてアンケート回答等を実行することができる。
【０００３】
【発明が解決しようとする課題】
ところで、商品を識別するための識別番号に対しては、例えば、１０年を一単位として重複使用を防止するために、例えば１２桁の番号管理を行っていた。この識別番号は、例えば商品の掲載受注を受ける毎に新たに発番される。
【０００４】
また、従来の商品情報掲載誌では、目次ページ（インデックスページ）が設けられている。この目次ページは、掲載商品とその掲載位置（ページ）の対応関係を表す。商品情報掲載誌を利用する顧客は、商品名に対応するページ番号に従って、商品の掲載されている情報ページを容易に特定することができる。しかしながら、情報ページ上には複数の商品に対応する複数の内容情報が掲載されているため、顧客にとっては所望の内容情報を見つけるのは面倒であった。なお、上述の識別番号を目次ページに表記して情報ページ上で商品を特定するための補助情報として利用することが想定されるが、例えばランダムに発番された桁数の多い番号であるため、実用上その利用は困難であった。
【０００５】
【課題を解決するための手段】
本発明は、以上の点を解決するために、次の構成を採用する。
〈構成１〉
本発明に係る商品情報掲載誌は、多数の商品の少なくとも各商品名が表示されている目次ページと、ページ番号が付与されて、複数の商品名にそれぞれ対応させて区分けされた複数の内容情報が掲載されている情報ページとを備える商品情報掲載誌であって、情報ページに、内容情報に対応して、少なくともその区分け位置を示す区分番号が表示され、目次ページに、商品名に対応して、内容情報の掲載されている情報ページのページ番号と該内容情報に対応する区分番号とからなる位置番号が表示されていることを特徴とする。
【０００６】
〈作用〉
本発明に係る商品情報掲載誌では、区分番号は、内容情報の区分け位置を示すために、内容情報に対応して情報ページに表示される。また、この区分番号は情報ページのページ番号と結合され、位置番号として商品名に対応して目次ページに表示される。
従って、商品の購入者が目次ページの位置番号を参照することで、購入したい商品の内容情報の掲載されている情報ページを容易に見つけることができるだけではなく、区分番号によって所望の内容情報の具体的な掲載位置も容易に見つけることができる。従って、商品の内容情報を容易に視認可能な商品情報掲載誌を提供することができる。
また、各商品の位置番号は、商品に対して一対一に対応しているので、例えば出版号に結合するだけで、商品を識別するための識別番号として利用することができる。従って、従来の番号管理が不要となる。
商品名は、商品の品名であってもよく、商品のタイトルであってもよい。
【０００７】
〈構成２〉
本発明に係る商品情報提供方法は、構成１の本発明に係る商品情報掲載誌に掲載された商品に対応する位置番号に基づいて、該商品に関連する関連情報を顧客に提供するための商品情報提供方法であって、関連情報を位置番号に対応させて記憶するための商品データベースをサーバに設けること、通信回線を介してサーバに接続されている顧客端末から、位置番号データをサーバに送信すること、サーバにより、位置番号データに基づいて、商品データベースから関連情報データを検索し、検索された関連情報データを、通信回線を介して顧客端末に送信することを特徴とする。
【０００８】
〈作用〉
本発明に係る商品情報提供方法は、構成１の本発明に係る商品情報掲載誌に掲載された商品に対応する位置番号を利用する構成を備え、この位置番号に商品の関連情報を対応させた商品データベースを設け、顧客端末からの位置番号データに基づいてサーバがこのデータベースを検索し、対応する関連情報データを顧客端末に送信する。従って、本発明の商品情報掲載誌を利用して商品の関連情報を得ることが可能である。
【０００９】
〈構成３〉
本発明に係る商品情報提供方法は、構成１に記載され且つ情報提供の有効期間に対応する号数の本発明に係る商品情報掲載誌に掲載された商品の位置番号に基づいて、該商品に関連する関連情報を顧客に提供するための商品情報提供方法であって、関連情報を号数と位置番号とに対応させて記憶する商品データベースをサーバに設けること、通信回線を介してサーバに接続されている顧客端末から、号数データ及び位置番号データをサーバに送信すること、サーバにより、号数データが有効期間を示すと、該号数データ及び位置番号データに基づいて、商品データベースから関連情報データを検索し、検索された関連情報データを、通信回線を介して顧客端末に送信することを特徴とする。
【００１０】
〈作用〉
本発明の方法は、出版号の異なる複数の商品情報掲載誌において、同一の位置番号が利用されていても各商品情報掲載誌の商品に対し、確実に関連情報を提供することができる。
【００１１】
本発明に係る商品情報提供方法では、関連情報データは、商品の内容を示す内容データと、商品の条件を示す条件データとを含むことができる。この場合、商品データベースは、内容データを号数データ及び位置番号データに対応させて記憶するための内容データベースと、条件データを、号数データ及び位置番号データに対応させて記憶するための条件データベースとを備えることができる。
また、関連情報データとして、顧客端末で表示することができる。
【００１２】
また、本発明に係る商品情報提供方法は、更に、条件データを、同一条件を有する他の商品を検索するための検索条件データとして顧客端末に入力すると、該顧客端末により、検索条件データを通信回線を介してサーバに送信すること、サーバにより、条件データベースを検索して、受信した検索条件データを満たす他の商品の位置番号データを取り出し、取り出された位置番号データに基づいて、内容データベースを検索して対応の内容データを取り出し、取り出された位置番号データ及び内容データを顧客端末に送信することを特徴とする。
【００１３】
また、本発明に係る商品情報提供方法は、更に、条件データを変更して、他の商品を検索するための検索条件データとして顧客端末に入力すると、該顧客端末により、検索条件データを通信回線を介してサーバに送信すること、サーバにより、条件データベースを検索して、受信した検索条件データを満たす他の商品の位置番号データを取り出し、取り出された位置番号データに基づいて、内容データベースを検索して対応の内容データを取り出し、取り出された位置番号データ及び内容データを顧客端末に送信することを特徴とする。
【００１４】
本発明に係る商品情報提供方法では、内容データベースは、各号数に対応するそれぞれの号対応内容データベースで構成されてもよく、条件データベースは、各号数に対応するそれぞれの号対応条件データベースで構成されてもよい。
【００１５】
号対応条件データベースに、商品の販売の可否を示すためのフラグ項目を設けることができる。この場合、サーバが、フラグ項目に基づいて販売の可否情報を顧客端末に送信する。
販売の可否情報は、予約可能、売り切れ及び販売の中止のいずれかである。
【００１６】
また、号対応条件データベースに、商品のタイトルを商品名として示すタイトル項目を設けることができる。この場合、商品の利用状態が売り切れ及び販売の中止のいずれかになると、サーバが、タイトル項目内の対応するタイトルデータを読み出して顧客端末に送信する。
【００１７】
〈構成４〉
本発明に係る商品情報提供システムは、通信回線を介して相互に接続されている顧客端末及びサーバを備え、構成１の本発明に係る商品情報掲載誌に掲載された商品に対応する位置番号に基づいて、該商品に関連する関連情報を顧客に提供するための商品情報提供システムであって、顧客端末は、位置番号データを入力するための入力部と、入力された位置番号データをサーバに送信するための端末通信部とを有し、サーバは、関連情報を位置番号に対応させて記憶するための商品データベースと、受信した位置番号データに基づいて、商品データベースを検索して関連情報データを取り出すための検索部と、検索された関連情報データを顧客端末に送信するためのサーバ通信部とを有することを特徴とする。
【００１８】
〈構成５〉
本発明に係る商品情報提供システムは、通信回線を介して相互に接続されている顧客端末及びサーバを備え、構成１に記載され且つ情報提供の有効期間に対応する号数の本発明に係る商品情報掲載誌に掲載された商品の位置番号に基づいて、該商品に関連する関連情報を顧客に提供するための商品情報提供システムであって、顧客端末は、号数データ及び位置番号データを入力するための入力部と、入力された号数データ及び位置番号データをサーバに送信するための端末通信部とを有し、サーバは、関連情報を号数及び位置番号に対応させて記憶するための商品データベースと、受信した号数データ及び位置番号データに基づいて、商品データベースを検索して関連情報データを取り出すための検索部と、検索された関連情報データを顧客端末に送信するためのサーバ通信部とを有することを特徴とする。
【００１９】
本発明に係る商品情報提供システムでは、関連情報データは、商品の内容を示す内容データと、商品の条件を示す条件データとを含むことができる。この場合、商品データベースは、内容データを号数データ及び位置番号データに対応させて記憶するための内容データベースと、条件データを、号数データ及び位置番号データに対応させて記憶するための条件データベースとを備えることができる。
また、顧客端末は、関連情報データを表示するための表示部を更に有してもよい。
【００２０】
本発明に係る商品情報提供システムでは、入力部は、条件データを、同一条件を有する他の商品を検索するための検索条件データとして入力し、端末通信部は、入力された検索条件データをサーバに送信し、検索部は、条件データベースを検索して、受信した検索条件データを満たす他の商品の位置番号データを取り出し、取り出した該位置番号データに基づいて、内容データベースを検索して対応の内容データを取り出し、サーバ通信部は、取り出された位置番号データ及び内容データを顧客端末に送信することができる。
【００２１】
また、本発明に係る商品情報提供システムでは、入力部は、変更された条件データを他の商品を検索するための検索条件データとして入力し、端末通信部は、入力された検索条件データをサーバに送信し、検索部は、条件データベースを検索して、受信した検索条件データを満たす他の商品の位置番号データを取り出し、取り出した該位置番号データに基づいて、内容データベースを検索して対応の内容データを取り出し、サーバ通信部は、取り出された位置番号データ及び内容データを顧客端末に送信することができる。
【００２２】
また、本発明に係る商品情報提供システムでは、内容データベースとして、各号数に対応するそれぞれの号対応内容データベースで構成してもよく、条件データベースとして、各号数に対応するそれぞれの号対応条件データベースで構成してもよい。
【００２３】
号対応条件データベースに、商品の販売の可否を示すためのフラグ項目を設けることができる。この場合、検索部は、号対応条件データベースを検索してフラグデータを取り出し、サーバ通信部は、取り出されたフラグデータに基づいて、対応の可否情報を顧客端末に送信する。
可否情報は、予約可能、売り切れ及び販売の中止のいずれかである。
【００２４】
また、号対応条件データベースに、商品のタイトルを商品名として示すタイトル項目を設けることができる。この場合、商品の利用状態が売り切れ及び販売の中止のいずれかになると、検索部は、タイトル項目内の対応するタイトルデータを取り出し、サーバ通信部は、取り出したタイトルデータを顧客端末に送信する。
【００２５】
〈構成６〉
本発明に係る商品情報提供プログラムは、構成１の本発明に係る商品情報掲載誌に掲載された商品に対応する位置番号に基づいて、該商品に関連する関連情報を顧客に提供するために、関連情報を位置番号に対応させて記憶するための商品データベースをサーバに設けること、通信回線を介してサーバに接続されている顧客端末から、位置番号データをサーバに送信すること、サーバにより、位置番号データに基づいて、商品データベースから関連情報データを検索し、検索された関連情報データを通信回線を介して顧客端末に送信することを実行させるための商品情報提供プログラムである。
【００２６】
〈構成７〉
本発明に係る商品情報提供プログラムは、構成１に記載され且つ情報提供の有効期間に対応する号数の本発明に係る商品情報掲載誌に掲載された商品の位置番号に基づいて、該商品に関連する関連情報を顧客に提供するために、関連情報を号数と位置番号とに対応させて記憶する商品データベースをサーバに設けること、通信回線を介してサーバに接続されている顧客端末から、号数データ及び位置番号データをサーバに送信すること、サーバにより、号数データが有効期間を示すと、該号数データ及び位置番号データに基づいて、商品データベースから関連情報データを検索し、検索された関連情報データを、通信回線を介して顧客端末に送信することを実行させるための商品情報提供プログラムである。
【００２７】
〈構成８〉
本発明に係る商品情報提供記録媒体は、構成１の本発明に係る商品情報掲載誌に掲載された商品に対応する位置番号に基づいて、該商品に関連する関連情報を顧客に提供するために、関連情報を位置番号に対応させて記憶するための商品データベースをサーバに設けること、通信回線を介してサーバに接続されている顧客端末から、位置番号データをサーバに送信すること、サーバにより、位置番号データに基づいて、商品データベースから関連情報データを検索し、検索された関連情報データを、通信回線を介して顧客端末に送信することを実行させるための商品情報提供プログラムを記録したコンピュータ読み取り可能な記録媒体である。
【００２８】
〈構成９〉
本発明に係る商品情報提供記録媒体は、請求項１に記載され且つ情報提供の有効期間に対応する号数の本発明に係る商品情報掲載誌に掲載された商品の位置番号に基づいて、該商品に関連する関連情報を顧客に提供するために、関連情報を号数と位置番号とに対応させて記憶する商品データベースをサーバに設けること、通信回線を介してサーバに接続されている顧客端末から、号数データ及び位置番号データをサーバに送信すること、サーバにより、号数データが有効期間を示すと、該号数データ及び位置番号データに基づいて、商品データベースから関連情報データを検索し、検索された関連情報データを、通信回線を介して顧客端末に送信することを実行させるための商品情報提供プログラムを記録したコンピュータ読み取り可能な記録媒体である。
【００２９】
【発明の実施の形態】
以下、本発明の実施形態を、図面を参照して説明する。
〈実施例１〉
図１は、本発明に係る商品情報掲載誌の目次ページを示す説明図である。
図２は、本発明に係る商品情報掲載誌の情報ページを示す説明図である。
本発明に係る商品情報掲載誌１０は、旅行ツアーを商品として掲載している月刊ツアー掲載誌であり、図１に示されたインデックス（目次ページ）１１と、図２に示された情報ページ１２とを備えている。
【００３０】
目次ページ１１には、旅行ツアーのタイトルを示すためのツアータイトル欄１３が設けられ、該ツアータイトル欄１３には、各旅行ツアーのタイトルが商品名として表示されている。例えばこの欄の１０行目１４には、「豪華！ベラッジオ／ベネチアン片道リムジン送迎＆トロリー券５枚付き」のツアータイトル１５が表示されている。
【００３１】
各ツアータイトル１５には、旅行ツアーの内容情報の掲載ページを示すページ番号と、例えばページ内の情報掲載位置を示すページ内番号（区分番号）とから成る位置番号（以下、ＡＢコードと称す）１６が設定されている。例えば１０行目１４のツアータイトル１５には、「７７７−０１」で示すＡＢコード１６が表示されている。
このＡＢコード１６は、ツアータイトル１５の内容情報が７７７ページの０１位置（例えばページ内の最上位）に示されていることを意味している。
【００３２】
また、この目次ページには、ホテル名、宿泊クラス、航空会社等を示すために、ホテル欄、宿泊欄及び航空会社欄等が設定されている。
【００３３】
情報ページ１２には、その最下方にページ番号１８が表示され、この実施例では、この情報ページ１２には、「７７７」ページ番号が表示されている。
この情報ページ１２には、各旅行ツアーに対応するそれぞれの内容情報を示すための区分領域１９，…，１９が設けられている。各区分領域１９の最上位の角部１９ａには、内容情報の具体的な区分け位置を示すためのページ内番号「０１」、「０２」、…、「０５」が表示されている。この区分番号の表記は必須ではなく、ＡＢコードのみが表記される構成でも同様の効果が得られる。
【００３４】
区分番号「０１」の区分領域１９には、上記した旅行ツアー１５のタイトルを除いて、その内容情報、例えば出発日毎の価格及びツアーの特徴等の内容情報が掲載されている。また、各区分領域１９の下部の角部にはＡＢコード１９ｂが表示されている。
【００３５】
上記したような目次ページ１１及び情報ページ１２を備える商品情報掲載誌１０において、顧客は希望する旅行ツアーを選択するために目次ページ１１を見る。続いて、例えば旅行ツアー１５を選択した場合、具体的な内容情報を見るために、ＡＢコード「７７７−０１」を参照し、７７７ページの情報ページ１２を開く。この開いた情報ページにおいて、ＡＢコードの区分番号「−０１」が最上の掲載位置を示しているので、顧客は対応する内容情報の掲載されている区分領域１９を瞬時に知ることができる。
【００３６】
次に、上記商品情報掲載誌に連係させた本発明に係る商品情報提供システムについて詳細に説明する。
〈実施例２〉
図３は、本発明に係る商品情報提供システムの構成を示すブロック図である。
本実施例において、このシステムは、２号分の商品情報掲載誌に関し運用される。即ち、前号と今号の２つの商品情報掲載誌に関し運用される。例えば、システム運用時が１０月の場合、前号である９月号に対応する情報と今号である１０月号に対応する情報がシステムに登録され、そして運用される。
本発明に係るシステム２０は、通信回線２１を介して相互に接続されている複数の顧客端末２２とサーバ２３とを備えている。
【００３７】
顧客端末２２は、顧客にデータを入力させるための例えばキーボードからなる入力部２４と、各データを表示するための例えばディスプレイからなる表示部２５と、サーバ２３との通信を行うための端末通信部２６と、データを記憶するための端末記憶部２７と、これら入力部２４、表示部２５、端末通信部２６及び端末記憶部２７を制御するための端末制御部２８とを備えている。
【００３８】
サーバ２３は、前号及び今号検索専用データベース２９及び３０と、前号及び今号内容参照データベース３１及び３２と、これらデータベースをアクセスする検索部３３と、各データを一時記憶する等のためのサーバ記憶部３４と、顧客端末２２との通信を行うためのサーバ通信部３５と、これら検索部３３、サーバ記憶部３４及びサーバ通信部３５等を制御する制御部３６とを備えている。
制御部３６には、上記した検索部３３、サーバ記憶部３４及びサーバ通信部３５に検索取出機能、記憶機能及び通信機能等を実行させるために、本発明に係る商品情報提供プログラム３７が設けられている。
【００３９】
図４は、本発明に係る検索専用データベースの構成図である。
図に示された検索専用データベース１００は、前号検索専用データベース２９と今号検索専用データベース３０を概念的に合成した構成を示している。検索専用データベース１００は、号数項目１０１、ＡＢコード項目１０２、抽出条件項目１０３、商品コード項目１０４、販売開始日項目１０５、販売終了日項目１０６、掲載ステータス項目１０７を備えている。号数項目１０１は、商品情報掲載誌の発行号数（例えば西暦＋月：２００２０９）を記憶する項目である。ＡＢコード項目１０２は、商品を特定することができるＡＢコードを記憶する項目である。抽出条件項目１０３は、商品の代替案を検索する際に参照される抽出条件を記憶する項目である。抽出条件は、例えば商品が旅行ツアーである場合、行き先データ（ａ）、期間データ（ｂ）、ホテルデータ（ｃ）、航空会社データ（ｄ）、そして旅行会社データ（ｅ）を挙げられる。これらの抽出条件は、後に説明する前号及び今号内容参照データベース３１及び３２の所定の項目に対応付けられる。商品コード項目１０４は、Ｗｅｂサイト上で商品（旅行ツアー）を特定するために付与される商品コードを記憶する項目である。販売開始日項目１０５は、商品の販売開始日を記憶する項目である。販売終了日項目１０６は、商品の販売終了日を記憶する項目である。掲載ステータス項目１０７は、Ｗｅｂサイト上で商品を公開するか否かを指示するステータス情報を記憶する項目である。公開可能な場合（公開中）は内容「ＯＫ」を示し、公開を中止する場合は内容「ＳＴＯＰ」を示し、公開不可能な場合（公開対象情報無し）は内容「Ｘ」を示す。
【００４０】
図５は、前号内容参照データベースの構成を示す説明図である。
前号内容参照データベース３１には、ＡＢコード項目４６、行き先項目４７、期間項目４８、ツアータイトル項目４９、ホテル項目５０、予定人数項目５１、航空会社項目５２、そして補足項目群５３を備えている。尚、補足項目群５３は、食事項目、ツアー特徴項目、そして価格項目を備えている。この他、例えば旅行会社項目等を設けることができる。予定人数項目５１は、ツアー定員若しくは決行最低人数を表す。
行き先項目４７は、抽出条件項目１０３の行き先データ（ａ）に対応付けられる。期間項目４８は、抽出条件項目１０３の期間データ（ｂ）に対応付けられる。ホテル項目５０は、抽出条件項目１０３のホテルデータ（ｃ）に対応付けられる。航空会社項目５２は、抽出条件項目１０３の航空会社データ（ｄ）に対応付けられる。そして抽出条件項目１０３の旅行会社データ（ｅ）は、前号内容参照データベース３１上の、図示されない旅行会社項目に対応付けられる。
【００４１】
これらの項目は、レコード（図中左端）単位で管理される。例えば、第１０レコードには、ＡＢコード「７７７−０１」に対応して行き先データ「ラスベガス」、期間データ「５」、ツアータイトルデータ「豪華！ベラッジオ／ベネチアン片道リムジン送迎＆トロリー券５枚付き」、ホテルデータ「ベラッジォ、ベネチアン」、予定人数データ「５０」、そして航空会社データ「ＡＡ、ＮＷ」が記憶されている。
尚、今号内容参照データベース３２も同一構成を有している。
【００４２】
尚、本実施例では、各号数の商品情報掲載誌毎に内容参照データベースと検索専用データベースとを対応させているが、両商品情報掲載誌の全ての関連情報を一つのデータベースに記憶させても良い。
この場合、一つのデータベースに号数項目を設け、該データベースに、有効期間内の各商品情報掲載誌に対応する全てのデータを記憶させても良い。
【００４３】
次に、本発明に係る商品情報提供システム２０の動作を、フローチャートに沿って、本発明に係る商品情報提供方法と共に説明する。
図６は、本発明に係る商品情報提供システムの動作を示すフローチャートである。
顧客端末２２が端末通信部２６によってサーバ２３に接続すると、端末制御部２８は、表示部２５を制御して、図１に示されている入力画面４５を表示させる（ステップ１）。
【００４４】
入力画面４５が表示されると、顧客は入力部２４を操作して例えば、商品情報掲載誌１０の号数９及びＡＢコード「７７７−０１」を入力する（ステップ２）。
端末制御部２８は、端末通信部２６を制御して、入力された号数データ「９」に西暦情報を付加し、この西暦情報付き号数データ及びＡＢコード「７７７−０１」をサーバ２３に送信する（ステップ３）。
【００４５】
サーバ２３において、サーバ通信部３５が、顧客端末２２からの西暦情報付き号数データ「２００２０９」及びＡＢコード「７７７−０１」を受信すると、サーバ制御部３６は、プログラム３７に基づいて検索部３３を起動する（ステップ４）。
【００４６】
起動された検索部３３は、西暦情報付き号数データ「２００２０９」とＡＢコード「７７７−０１」に基づいて、検索専用データベース２９，３０を検索して該当するレコードを特定する（ステップ５）。前号検索専用データベース２９から、該当するレコードが特定される。検索部３３は、特定されたレコードから、抽出条件項目１０３、Ｗｅｂ用商品コード項目１０４、販売開始日項目１０５、販売終了日項目１０６、掲載ステータス項目１０７を読み出し（ステップ６）、読み出した内容をサーバ記憶部３４に記憶する（ステップ７）。検索部３３は、サーバ記憶部３４に記憶されたデータを参照して、現在日時が販売開始日と販売終了日の間に入っているか判断し、入っていれば更に掲載ステータスが掲載中を示しているか判断し、掲載中を示していた場合、対応する商品情報を前号内容参照データベース３１上で検索する（ステップ８）。検索部３３は、所望の検索結果（レコード）が特定された場合、その読み出しを行い（ステップ９）、読み出したデータをサーバ記憶部３４に記憶する（ステップ１０）。
【００４７】
サーバ制御部３６は、サーバ通信部３５を起動して、サーバ記憶部３４に記憶されたデータ、即ち前号検索専用データベース２９及び前号内容参照データベース３１から読み取ったデータを、顧客端末に送信する（ステップ１１）。
【００４８】
顧客端末２２において、端末通信部２６がこれらのデータを受信すると、端末制御部２８が、これらデータを端末記憶部２７に記憶させると共に、表示部２５を制御して、旅行会社に問い合わせ可能な表示提供画面を表示する（ステップ１２）。この表示提供画面によって、２００２年９月号の情報掲載誌上のＡＢコード「７７７−０１」に対応する旅行ツアーの関連情報を顧客に提供することができる。
【００４９】
図７は、問い合わせ可能な表示提供画面を示す説明図である。
表示提供画面５６は、価格、ツアーの特徴、出発時間等の情報を示す各内容データが示されている内容データ領域５７と、各条件データが示されている条件データ領域５８とを含んでいる。
この表示提供画面上には、問合せボタン５９が設けられている。
顧客がこの問合せボタン５９を選択すると、端末制御部２８は、端末通信部２６を制御して、対応する旅行会社に向けて問合せを行うため、問合せデータをサーバ２３に送信する（ステップ１３）。この問合せデータは、例えば顧客情報と顧客が特定したツアー情報を含む。
【００５０】
サーバ２３において、サーバ通信部３５が問合せデータを受信すると、サーバ制御部３６は、販売旅行会社の端末に向けて問合せデータを転送する（ステップ１４）。
【００５１】
一方、上記した条件データ領域５８の下方には、変更指示ボタン６０ａ、６０ｂ及び６０ｃが表示されている。変更指示ボタン６０ａは、図７に示された検索結果の場合、２００２年１１月号のＡＢコード７７７−０１と同一条件（行き先、期間、航空会社、ホテル、旅行会社が同一）の他の旅行ツアーを再検索する場合に利用される。このような再検索は、一つの旅行会社が同一条件で複数の旅行ツアーを発売している場合、有益である。このボタン６０ａが押下されると、端末制御部２８はＡＢコードデータ「７７７−０１」と共にツアー変更要求を端末通信部２６を介してサーバ２３に送信する。
【００５２】
サーバ側において、サーバ制御部３６が検索部３３にツアー変更を指示すると、検索部３３は、サーバ記憶部３４から指示された（固定された）検索条件を読み取り、前号検索専用データベース２９及び今号検索専用データベース３０の抽出条件項目１０３の検索を実行し、その検索条件を満たすレコードを特定する。検索部３３は、指示された検索条件を満たすレコード、例えば行先が同一の他の旅行ツアーを検出すると、このレコードの内容をサーバ記憶部３４に記憶し、先に説明の処理と同様に前号内容参照データベース３１及び今号内容参照データベース３２の内容をサーバ記憶部３４に記憶する。以後、サーバ記憶部３４に記憶された旅行ツアー情報の内容が、図７に示した状態で表示される。なお、検索の結果複数の旅行ツアー情報がヒットした場合、図７に示した状態には、他の旅行ツアー情報を参照するためのページ進めボタン及び戻しボタン等が表示される。
【００５３】
なお、次に、変更指示ボタン６０ｂは、行き先を固定、その他の期間、航空会社、ホテル、そして旅行会社は任意で固定して再検索を実行する場合に利用される。期間、航空会社、ホテル、そして旅行会社を固定にするか否固定にするかは、左側のチェックボックスを選択するか否選択にするかにより指示される。チェックボックスを選択後、ボタン６０ｂが押下されると、サーバ制御部３６は、サーバ記憶部３４から指示された（固定された）検索条件を読み取り、前号検索専用データベース２９及び今号検索専用データベース３０の抽出条件項目１０３の検索を実行し、その検索条件を満たすレコードを特定する。検索部３３は、指示された検索条件を満たすレコード、例えば行先が同一の他の旅行ツアーを検出すると、このレコードの内容をサーバ記憶部３４に記憶し、先に説明の処理と同様に前号内容参照データベース３１及び今号内容参照データベース３２の内容をサーバ記憶部３４に記憶する。
【００５４】
更に、変更指示ボタン６０ｃは、行先の変更要求ボタンである。このボタン６０ｃが押下されると、端末制御部２８は表示部２５を制御して入力画面４５（図１）を表示させ、ステップ１に戻る。
尚、上記変更指示ボタン６０ａ、６０ｂを押下した場合にサーバ側で他の旅行ツアーを検出できなかった場合その旨が顧客端末に通知されるので、表示部では、例えば、「他の旅行ツアーがありません。」の表示を行う。
【００５５】
ところで、上記ステップ６において、掲載ステータス項目１０７の内容が「ＳＴＯＰ」又は「Ｘ」を示していた場合、サーバ制御部３６は、読み出した条件データ及びタイトルを問合せ不能通知（予約不能通知）と共に顧客端末２２に送信する。これにより、表示部２５上では問合せ不能（予約不能）を示す表示画面が表示される。なお、問合せ不能の表示は、内容が「ＳＴＯＰ」を示していた場合に限り、内容が「Ｘ」を示していた場合、未取扱いのツアーである旨を表示することもできる。
図８は、予約不能な表示画面を示す説明図である。
【００５６】
この表示画面６１は、ＡＢコードが「７７７−０２」である旅行ツアーに対応する問合せ不能（予約不能）画面である。
この表示画面６１の内容データ領域６２には、ＡＢコード「７７７−０２」のツアータイトルデータ「パリの象徴エッフェル……」及び販売の停止文章が表示されている。
また、表示画面６１の条件データ領域６３には、条件データ「５」、「ＡＡ」、「パリス」及び「Ｂ」が表示されている。これらの条件データは、上記した表示提供画面５６に表示されている各条件データと同様に、他の旅行ツアーを検索するための検索条件データとして利用することができる。
【００５７】
即ち、条件データ領域６３の下方には、変更指示ボタン６４ａ、６４ｂ及び６４ｃが設けられている。これらボタン６４ａ、６４ｂ及び６４ｃは、それぞれ、上記した変更指示ボタン６０ａ、６０ｂ及び６０ｃと同様な機能を有し、サーバ側に上記したと同一の再検索処理を行わせる。
【００５８】
尚、ステップ８において、現在日時が販売開始日前の場合、表示部２５上では取扱い前を示す問合せ不能（予約不能）画面が表示される。同様に、現在日時が販売終了日後の場合、取扱い後を示す問合せ不能（予約不能）画面が表示される。
【００５９】
ところで、商品情報掲載誌は、例えば、関東版、関西版等の如く同一号数で複数、出版されることがある。この場合には、関東版の商品情報掲載誌に対し区分番号「０１〜３０」を割り当て、関西版のそれに対し区分番号「３１〜６０」を割り当てる。
従って、本発明の方法及びシステムにおいて、同一号数の複数の商品情報掲載誌が出版されても、確実に商品に対応させて関連情報を提供できる。
【００６０】
【発明の効果】
本発明によると、情報掲載誌のインデックスを参照して所定のページを開いた場合、インデックスに表示されていた位置番号（ＡＢコード）に基づき、所定のページ上で所望の商品情報を速やかに検出することができる。これは、位置番号がページ番号とページ内番号を組み合わせて構成されているから得られる効果である。またこの位置番号と号番号をウェブサイトに向けて入力することにより、自動的に西暦情報付き号番号と位置番号に変換され、サイト上に記憶された商品情報を速やかに検出することができる。
【図面の簡単な説明】
【図１】本発明に係る商品情報掲載誌の目次ページの構成を示す説明図である。
【図２】本発明に係る商品情報掲載誌の情報ページの構成を示す説明図である。
【図３】本発明に係る商品情報提供システムの構成を示すブロック図である。
【図４】本発明に係る検索専用データベースの構成を示す説明図である。
【図５】本発明に係る内容参照データベースの構成を示す説明図である。
【図６】本発明に係る商品情報提供システムの動作を示すフローチャートである。
【図７】本発明に係る問い合わせ可能な表示提供画面を示す説明図である。
【図８】本発明に係る予約不能な表示画面を示す説明図である。
【符号の説明】
１０  商品情報掲載誌
１１  目次ページ
１２  情報ページ
１５  商品名
１７  ＡＢコード（位置番号）
１８  ページ番号
１９ａ  区分番号
２０  商品情報提供システム
２１  通信回線
２２  顧客端末
２３  サーバ
２４  入力部
２５  表示部
２６  端末通信部
２９，３０  号検索専用データベース
３１，３２  号内容参照データベース
３３  検索部
３５  サーバ通信部
３７  プログラム
【図１】
2004220076.tif 000003
【図２】
2004220076.tif 000004
【図３】
2004220076.tif 000005
【図４】
2004220076.tif 000006
【図５】
2004220076.tif 000007
【図６】
2004220076.tif 000008
【図７】
2004220076.tif 000009
【図８】
2004220076.tif 000010